(57)【要約】      （修正有）【課題】ＣＲＴ型、液晶型、ＰＤＰ型などの表示手段を備えるテレビに、ＤＶＤ装置など光ディスク記録再生装置を内蔵した一体型テレビに関し、特に、前記光ディスク記録再生装置と回路基板の配置を改善することにより、回路基板組立を容易にし、周波数干渉を防止することが出来る実用性に優れた光ディスク記録再生装置一体型テレビを提供する。【解決手段】ＤＶＤ記録再生装置１３とテレビ受像機とメイン回路基板４０とＭＰＥＧ基板５０とを同一筐体１１内に収納し、ＤＶＤ記録再生装置１３は前記メイン回路基板４０の上部に配置し、且つ前記第１回路基板の基板であるメイン回路基板４０の左右のいずれか一方に片寄せて配置し、ＭＰＥＧ基板５０は前記ＤＶＤ記録再生装置１３の上部に配置することにより、前記メイン回路基板４０には前記片寄せた他方に広い領域を確保して背の高い電子部品を配置した。【選択図】図１
2006148811.tif 000002
【特許請求の範囲】
【請求項１】
前面に光ディスクの挿入口が配置された光ディスク記録再生装置と、表示画面とスピーカーを備えたテレビ受像機と、各回路基板に電源を供給する電源部と前記テレビ受像機及び前記光ディスク記録再生装置の動作を制御する制御部と入力される放送受信信号及び前記光ディスク記録再生装置の映像音声信号を処理して表示画面とスピーカーに出力する映像音声処理部とを備える第１回路基板と、前記光ディスク記録再生装置から入力される映像音声信号を複号化して前記第１回路基板に出力すると共に前記第１回路基板から入力される映像音声信号を符号化して前記光ディスク記録再生装置に出力する第２回路基板とを同一筐体内に収納した光ディスク記録再生装置一体型テレビにおいて、前記光ディスク記録再生装置は前記第１回路基板の上部に配置し、且つ前記第１回路基板の左右のいずれか一方に片寄せて配置したことを特徴とする光ディスク記録再生装置一体型テレビ。
【請求項２】
前記第２回路基板は前記光ディスク記録再生装置の上部に配置したことを特徴とする請求項１記載の光ディスク記録再生装置一体型テレビ。
【請求項３】
前記第２回路基板と前記光ディスク記録再生装置とを接続する接続線、及び前記第２回路基板と前記第１回路基板とを接続する接続線は、前記光ディスク記録再生装置の片寄せた側に配置したことを特徴とする請求項１又は２記載の光ディスク記録再生装置一体型テレビ。
【請求項４】
前記第１回路基板上で前記光ディスク記録再生装置と重なりを生ずる領域には背の低い電子部品を配置したことを特徴とする請求項1又は２記載の光ディスク記録再生装置一体型テレビ。
【発明の詳細な説明】
【技術分野】
【０００１】
本発明は、ＣＲＴ型、液晶型、プラズマディスプレイ（Ｐｌａｓｍａ  Ｄｉｓｐｌａｙ  Ｐａｎｅｌ、以下ＰＤＰと略す）型などの表示手段を備えるテレビに、ＤＶＤ（Ｄｉｇｉｔａｌ  Ｖｅｒｓａｔｉｌｅ  Ｄｉｓｃ）装置など光ディスク記録再生装置を内蔵した一体型テレビに関し、特に、前記光ディスク記録再生装置と回路基板の配置を工夫改善することにより、回路基板組立を容易にし、周波数干渉を防止する光ディスク記録再生装置一体型テレビに関する。
【背景技術】
【０００２】
従来から、ＤＶＤなどの光ディスク記録再生装置とテレビ受像機を一体化した光ディスク記録再生装置一体型テレビが開発されており、例えばテレビ受像機の表示画面の下部にＤＶＤ再生装置が内蔵されたＤＶＤ再生装置一体型テレビの筐体内部では、一般的に図５に示すメイン回路基板１４０が配置され、該メイン回路基板１４０上で横方向の略中央にＤＶＤ再生装置１３０が配置されていた。また、メイン回路基板１４０上にはこのＤＶＤ再生装置１３０の左右である横方向と後方向に電源回路１４１や垂直系やサウンドアンプを担うテレビ回路１４２と偏向系回路１４３が配置され、前記ＤＶＤ再生装置１３０と前記メイン回路基板１４０との隙間には、図６に示すようにＤＶＤ再生装置１３０とメイン回路基板１４０とに接続されて映像音声信号を符号化及び又は複合化させる一般にＭＰＥＧ基板１５０と呼ばれるＭＰＥＧ（Ｍｏｖｉｎｇ  Ｐｉｃｔｕｒｅ  Ｅｘｐｅｒｔｓ  Ｇｒｏｕｐ）規格に基づく回路を搭載した回路基板が配置されており、前記メイン回路基板１４０と前記ＭＰＥＧ基板１５０とを接続する接続線１６０が図５及び図６に示すようにメイン回路基板１４０上に近接して配置される電源回路１４１を構成する背の高い電子部品１４５と接触しないようにコネクター１７０の配置される位置には配慮が必要であった。
【０００３】
また、テレビ受像機とビデオ装置とが同一ケース内に収納された従来技術として、特許文献１には、ビデオ用プリント基板とテレビ用プリント基板が横に並列され、且つフロントキャビネットの底板と平行に併設されている。また、テレビ用とビデオ用の共通電源がテレビ用プリント基板上に載置されており、ビデオ装置のメカデッキはビデオ用プリント基板の上面に配置されることにより部品点数を少なくし、配線も短く、周波数干渉によるノイズ削減も可能としたビデオ一体型テレビが開示されている。
【０００４】
【特許文献１】特開平８−３４０５０２号公報
【発明の開示】
【発明が解決しようとする課題】
【０００５】
本発明は、従来技術において、ＤＶＤ再生装置１３０の下部に配置されたＭＰＥＧ基板１５０とメイン回路基板１４０とを接続線１６０で接続する作業を行うときは、メイン回路基板１４０上でＤＶＤ再生装置１３０の横方向の狭い領域に載置された背の高い電子部品１４５が接続作業の障害となる。また、このメイン回路基板１４０を大型テレビと共用化しようとするときは、電源回路１４１や偏向系回路１４２を構成する背の高い電子部品１４５の大きさが大きくなるため、限られたメイン回路基板１４０上の横方向にこれらの回路を構成する大きな背の高い電子部品１４５を前記ＤＶＤ再生装置１３０の横方向の狭い領域にも配置することが必要となるので、該メイン回路基板１４０の横方向の面積が不足してしまうことから、横方向に広くすることが必要となってしまう。しかし、前記メイン回路基板１４０上の略中央にＤＶＤ再生装置１３０を配置するこの配置方法においては小型テレビ用のメイン回路基板１４０と大型テレビ用のメイン回路基板１４０とを共用化することは出来ないといった問題がある。また、前記メイン回路基板１４０と前記ＭＰＥＧ基板１５０とを接続する接続線１６０がメイン回路基板１４０上のテレビ回路１４２を構成する背の高い電子部品１４５と接触しないようにコネクター１７０の配置される位置の制約と共に、前記コネクター１７０はメイン回路基板１４０上でＤＶＤ再生装置１３０の横方向の狭い領域で、近傍には複数の背の高い電子部品１４５が載置される回路上にあるため、メイン回路基板１４０の回路と、前記ＭＰＥＧ基板１５０を介してＤＶＤ再生装置１３０に入出力されるデジタル信号を伝達する前記接続線１６０との周波数干渉影響も懸念される。更に前記ＤＶＤ再生装置１３０と前記メイン回路基板１４０との間にはＭＰＥＧ基板１５０が配置されており、ＤＶＤ再生装置１３０の下部は空間が少なくＤＶＤ再生装置１３０の放熱性低下も懸念されるといった問題がある。本発明は、これら接続線１６０の配線作業の障害を取り除き、メイン回路基板１４０は大型テレビとの共用化を可能とし、更に周波数干渉やＤＶＤ再生装置１３０の放熱性といった懸念をも低減することが出来る光ディスク記録再生装置一体型テレビを得るものである。
【課題を解決するための手段】
【０００６】
請求項１の光ディスク記録再生装置一体型テレビは、前面に光ディスクの挿入口が配置された光ディスク記録再生装置と、表示画面とスピーカーを備えたテレビ受像機と、各回路基板に電源を供給する電源部と前記テレビ受像機及び前記光ディスク記録再生装置の動作を制御する制御部と入力される放送受信信号及び前記光ディスク記録再生装置の映像音声信号を処理して表示画面とスピーカーに出力する映像音声処理部とを備える第１回路基板と、前記光ディスク記録再生装置から入力される映像音声信号を複号化して前記第１回路基板に出力すると共に前記第１回路基板から入力される映像音声信号を符号化して前記光ディスク記録再生装置に出力する第２回路基板とを同一筐体内に収納した光ディスク記録再生装置一体型テレビにおいて、前記光ディスク記録再生装置は前記第１回路基板の上部に配置し、且つ前記第１回路基板の左右のいずれか一方に片寄せて配置したことを特徴とする。
【０００７】
請求項１の構成によれば、前面に光ディスクの挿入口が配置された光ディスク記録再生装置と、表示画面とスピーカーを備えたテレビ受像機と、各回路基板に電源を供給する電源部と前記テレビ受像機及び前記光ディスク記録再生装置の動作を制御する制御部と入力される放送受信信号及び前記光ディスク記録再生装置の映像音声信号を処理して表示画面とスピーカーに出力する映像音声処理部とを備える第１回路基板と、前記光ディスク記録再生装置から入力される映像音声信号を複号化して前記第１回路基板に出力すると共に前記第１回路基板から入力される映像音声信号を符号化して前記光ディスク記録再生装置に出力する第２回路基板とを同一筐体内に収納した光ディスク記録再生装置一体型テレビにおいて、前記光ディスク記録再生装置は前記第１回路基板の上部に配置し、且つ前記第１回路基板の左右のいずれか一方に片寄せて配置したことにより、前記第１回路基板は左右のいずれか一方に片寄せて配置した前記光ディスク記録再生装置の他方に前記光ディスク記録再生装置と重ならない領域を広く確保することが出来る。
【０００８】
請求項２の光ディスク記録再生装置一体型テレビは、請求項１記載の光ディスク記録再生装置一体型テレビにおいて、前記第２回路基板は前記光ディスク記録再生装置の上部に配置したことを特徴とする。
【０００９】
請求項２の構成によれば、前記第２回路基板は前記光ディスク記録再生装置の上部に配置したことにより、前記第１回路基板はその上部に配置される前記光ディスク記録再生装置との隙間高さを高く確保することが出来ると共に前記第２回路基板と前記第１回路基板とは前記光ディスク記録再生装置を介して配置することが出来る。
【００１０】
請求項３の光ディスク記録再生装置一体型テレビは、請求項１又は２記載の光ディスク記録再生装置一体型テレビにおいて、前記第２回路基板と前記光ディスク記録再生装置とを接続する接続線、及び前記第２回路基板と前記第１回路基板とを接続する接続線は、前記光ディスク記録再生装置の片寄せた側に配置したことを特徴とする。
【００１１】
請求項３の構成によれば、前記第２回路基板と前記光ディスク記録再生装置とを接続する接続線、及び前記第２回路基板と前記第１回路基板とを接続する接続線は、前記光ディスク記録再生装置の片寄せた側に配置したことにより、前記第１回路基板の左右のいずれか一方に片寄せて配置した前記光ディスク記録再生装置の他方には前記第１回路基板上で前記光ディスク記録再生装置と重ならない領域を広く確保することが出来ると共に、片寄せた一方の前記第１回路基板の端部寄りから前記接続線の引き出しを行なうことが出来る。
【００１２】
請求項４の光ディスク記録再生装置一体型テレビは、請求項１又は２記載の光ディスク記録再生装置一体型テレビにおいて、前記第１回路基板上で前記光ディスク記録再生装置と重なりを生ずる領域には背の低い電子部品を配置したことを特徴とする。
【００１３】
請求項４の構成によれば、前記第１回路基板上で前記光ディスク記録再生装置と重なりを生ずる領域には背の低い電子部品を配置したことにより、前記片寄せた他方には背の高い電子部品を優先的に配置しながら、前記光ディスク記録再生装置と重なりを生ずる領域には背の低い電子部品を配置することが出来る。
【発明の効果】
【００１４】
請求項１の発明によれば、前面に光ディスクの挿入口が配置された光ディスク記録再生装置と、表示画面とスピーカーを備えたテレビ受像機と、各回路基板に電源を供給する電源部と前記テレビ受像機及び前記光ディスク記録再生装置の動作を制御する制御部と入力される放送受信信号及び前記光ディスク記録再生装置の映像音声信号を処理して表示画面とスピーカーに出力する映像音声処理部とを備える第１回路基板と、前記光ディスク記録再生装置から入力される映像音声信号を複号化して前記第１回路基板に出力すると共に前記第１回路基板から入力される映像音声信号を符号化して前記光ディスク記録再生装置に出力する第２回路基板とを同一筐体内に収納した光ディスク記録再生装置一体型テレビにおいて、前記光ディスク記録再生装置は前記第１回路基板の上部に配置し、且つ前記第１回路基板の左右のいずれか一方に片寄せて配置したことにより、前記第１回路基板は、左右のいずれか一方に片寄せて配置した前記光ディスク記録再生装置の他方に前記光ディスク記録再生装置と重ならない領域を広く確保することが出来るので、該第１回路基板の他方に確保した前記光ディスク記録再生装置と重ならない領域には効率よく大きな電子部品も配置することが出来るので大型テレビと共用化することが出来る。
【００１５】
請求項２の発明によれば、前記第２回路基板は前記光ディスク記録再生装置の上部に配置したことにより、前記第１回路基板はその上部に配置される前記光ディスク記録再生装置との隙間高さを高く確保することが出来ると共に前記第２回路基板と前記第１回路基板とは前記光ディスク記録再生装置を介して配置することが出来るので、前記光ディスク記録再生装置の放熱性を確保することが出来る。また、前記隙間高さを高く確保することが出来ることにより、前記第２回路基板と前記第１回路基板との周波数干渉は低く抑えることが出来る。
【００１６】
請求項３の発明によれば、前記第２回路基板と前記光ディスク記録再生装置とを接続する接続線、及び前記第２回路基板と前記第１回路基板とを接続する接続線は、前記光ディスク記録再生装置の片寄せた側に配置したことにより、前記第１回路基板の左右のいずれか一方に片寄せて配置した前記光ディスク記録再生装置の他方には前記第１回路基板上で前記光ディスク記録再生装置と重ならない領域を広く確保することが出来ると共に、片寄せた一方の前記第１回路基板の端部寄りから前記接続線の引き出しを行なうことが出来るので、前記接続線の近傍には背の高い電子部品が配置されることにより接続作業の障害となることも無く、接続作業を容易に行うことが出来る。また、前記光ディスク記録再生装置と重ならない領域に前記第１回路基板に配置される電子部品を優先的に配置し、前記光ディスク記録再生装置の一方寄りは前記電子部品の配置密度は低く抑えることが出来るので、前記接続線は該電子部品との近接距離を長く確保することが出来る。これにより、前記第一回路基板上に構成された前記電源部や制御部、映像音声処理部などと光ディスク記録再生装置に係るデジタル映像音声信号の符号化や復号化を行なう前記第２回路基板との周波数干渉を低減することが出来る。
【００１７】
請求項４の発明によれば、前記第１回路基板上で前記光ディスク記録再生装置と重なりを生ずる領域には背の低い電子部品を配置したことにより、前記片寄せた他方には背の高い電子部品を優先的に配置しながら、前記光ディスク記録再生装置と重なりを生ずる領域には背の低い電子部品を配置することが出来るので、前記第１回路基板の重なり領域を有効に活用して電子部品を配置することが出来る。
【発明を実施するための最良の形態】
【００１８】
以上のように、本発明は、本質的には、ＣＲＴ型、液晶型、ＰＤＰ型などの表示手段を備えるテレビに、ＤＶＤ装置など光ディスク記録再生装置を内蔵した一体型テレビに関し、特に、メイン回路基板上に配置する前記光ディスク記録再生装置の位置を片寄せることにより、周波数干渉を防止して回路基板組立を簡略化するものであり、以下の実施例の説明においては、ＤＶＤ記録再生装置を内蔵したＣＲＴを備える一体型テレビを得る実施例について説明する。
【００１９】
以下、本発明を実施するための最良の形態としての一実施例を図１〜図４により以下に説明する。もちろん、本発明は、その発明の趣旨に反さない範囲で、実施例において説明した以外のものに対しても容易に適用可能なことは説明を要するまでもない。
【００２０】
図２は本発明における一実施例を示すＤＶＤ記録再生装置一体型テレビの前面斜視説明図である。
【００２１】
図２において、１０はＤＶＤ記録再生装置一体型テレビであり、その筐体１１の前面にはＣＲＴによる表示画面１２ａが配置され、表示画面１２ａの下側に内蔵されたＤＶＤ記録再生装置のディスク挿入口１３ａがあり、表示画面１２ａの左右の下側にスピーカー１２ｂが配置されている。
【００２２】
図１は本発明における一実施例を示すメイン回路基板上の概略の構成を示す平面説明図であり、図３はメイン回路基板上に配置されたＤＶＤ記録再生装置とＭＰＥＧ基板の配置を示す前側面説明図である。
【００２３】
図１において手前側がＤＶＤ記録再生装置１３を内蔵したＤＶＤ記録再生装置一体型テレビの前面側である。図１及び図３に示すメイン回路基板４０は、図示しない筐体と連結された鉄板１４上に支持されており、前記メイン回路基板４０の上部には図１において左側に片寄せてＤＶＤ記録再生装置１３が支持部１５に支持されて配置されている。更にこのＤＶＤ記録再生装置１３の上部にはＭＰＥＧ基板５０が配置されており、ＭＰＥＧ基板５０の左端にはコネクター７０が配置されてフラットケーブル６０が接続され、前記前記ＤＶＤ記録再生装置１３と前記メイン回路基板４０とに接続されている。このＤＶＤ記録再生装置１３と重なるメイン回路基板上４０には制御回路４４の図示しないマイコンや、他の回路を構成する背の低い電解コンデンサ４６ａなどが配置されている。また、前記メイン回路基板４０で前記ＤＶＤ記録再生装置１３と重ならない領域が図１において上側であるＤＶＤ記録再生装置一体型テレビ１０の後側と右側に広く確保されており、図５に示す従来技術においてメイン回路基板１４０の略中央にＤＶＤ再生装置１３０が配置されたことによりＤＶＤ再生装置１３０の左右に前記メイン回路基板１４０の狭い領域が分散して２箇所形成されてしまい、ここに背の高い電子部品を配置せざるを得ないことから接続線１６０の接続作業の障害となるとか、前記接続線１６０の近傍に背の高い電子部品１４５が近接して配置されないように配置を配慮する必要があるとか、大きくて背の高い電子部品１４５を配置することが出来ないので大型テレビ用のメイン回路基板１４０として共用化を図ることが出来ないといった問題は回避され、前記ＤＶＤ記録再生装置１３の右側に確保された広い領域が本発明におけるＤＶＤ記録再生装置１３を左側に片寄せて配置した結果得られたメイン回路基板４０上に広く確保された領域となる。これらメイン回路基板４０上には、図１に示す左上側に放送を受信した映像音声の受信信号から目的とする周波数の信号を選択し、可聴周波数まで変換するチューナー４５ａや図示しない外部の電子機器との接続を行なうジャック等の端子類４５ｂが配置されている。これらの手前側で前記ＤＶＤ記録再生装置１３との間の領域にはテレビ電源回路４１が形成されており、電源トランス４５ｃなどが配置されている。また、前記テレビ電源回路４１の右側には図２に示す表示画面１２ａであるＣＲＴの陰極線管の偏向系を制御するテレビ偏向系回路４３が形成されており、フライバックトランス４５ｄなどの背の高い電子部品４５が配置されている。このテレビ偏向系回路４３の手前側で前記ＤＶＤ記録再生装置１３の右側には図２に示す前記ＣＲＴの陰極線管の垂直系を制御する垂直系回路と共に音声信号を処理して図２に示すスピーカー１２ｂに出力するサウンドアンプ回路がテレビ回路４２に形成されており、放熱板に取り付けられたパワートランジスタ４５ｅなどが配置されている。また、前記メイン回路基板４０とその上部に配置されたＤＶＤ記録再生装置１３との間には、図５に示した従来例における場合ＭＰＥＧ基板１５０が配置されておらず、この隙間高さは前記ＭＰＥＧ基板１５０とそこに実装される電子部品１４５の高さ分だけ高く確保することが出来るので、前記ＤＶＤ記録再生装置１３の放熱性は容易に確保することが出来ると共に、前記ＤＶＤ記録再生装置１３が重なる領域には、たとえば電解コンデンサ４６ａなど背の低い電子部品を実装して配置することが出来るので前記メイン回路基板４０における背の高い電子部品４５や背の低い電子部品の配置制約は緩和することが出来る。
【００２４】
前記図１に示すＤＶＤ記録再生装置一体型テレビ１０は第１の基板に相当するメイン回路基板４０が配置されており、前記ＤＶＤ記録再生装置１３と重なる領域に形成された制御回路４４に制御されて、テレビ電源回路４１から電源が供給され、チューナー４５ａにより放送を受信した映像音声の受信信号から目的とする周波数の信号を選択し、可聴周波数まで変換された前記映像音声信号のうち映像信号は、テレビ偏向系回路４３とテレビ回路４２に形成された垂直系回路により前記ＣＲＴによる表示画面１２ａに表示される。また、前記音声信号は、テレビ回路４２に形成されたサウンドアンプ回路から図２に示すスピーカー１２ｂに出力される。また、前記受信した映像音声信号は、前記ＭＰＥＧ基板５０により符号化されてデジタル信号となり、前記ＤＶＤ記録再生装置１３により図示しないＤＶＤディスクに記録される。一方、前記ＤＶＤディスクに記録されていた映像音声信号は前記ＤＶＤ記録再生装置１３により読み取られ、ＭＰＥＧ基板５０により復号化されてアナログ信号となり、前記メイン回路基板４０に形成されたテレビ回路４２とテレビ偏向系回路４３により表示画面１２ａに表示可能となると共にスピーカー１２ｂに出力可能となる。
【００２５】
続いて、図４によりメイン回路基板と、ＤＶＤ記録再生装置、及びＭＰＥＧ基板の位置関係とこれらを接続するフラットケーブルについて詳細に説明する。
【００２６】
図４はメイン回路基板とＤＶＤ記録再生装置などの配置を示す左前面斜視説明図である。前記メイン回路基板４０は鉄板１４に支持され、前記鉄板１４の右寄り片寄せて配置されている。また、前記鉄板１４の左寄りに片寄せてＤＶＤ記録再生装置１３は配置され、前記鉄板１４に固定された複数の支持部１５により前記メイン回路基板４０とは隙間高さを持って支持されていると共に、前記支持部１５は前記ＤＶＤ記録再生装置１３の上部にまで延設されており、前記ＭＰＥＧ基板５０をも支持している。また、前記メイン回路基板４０と前記ＭＰＥＧ基板５０とを接続する２本のフラットケーブル６０はメイン回路基板４０の左端部に配置された２個のコネクター７０から左方向に引き出されてＭＰＥＧ基板５０の左端部に配置された２個のコネクター７０には左方向から接続されている。また、前記ＤＶＤ記録再生装置１３の左下側から左方向に引き出された１本のフラットケーブル６０は、ＭＰＥＧ基板５０の左端部に配置された１個のコネクター７０に左方向から接続されることによりＭＰＥＧ基板５０と接続されている。
【００２７】
これら３本のフラットケーブル６０は、前記メイン回路基板４０上にＤＶＤ記録再生装置１３やＭＰＥＧ基板５０を組み付けるに際しては、予めメイン回路基板４０の左端部にコネクター７０により２本のフラットケーブル６０を接続しておくと共に、前記ＤＶＤ記録再生装置１３から引き出された１本のフラットケーブル６０も予めコネクター７０によりＤＶＤ記録再生装置１３と接続された状態としておく。次に、前記鉄板１４の上部に電子部品４５、４６が実装されてフラットケーブル６０が接続されたメイン回路基板４０を配置し、続いて、フラットケーブル６０が接続されたＤＶＤ記録再生装置１３とフラットケーブル６０が接続されていないＭＰＥＧ基板５０とを予め４個の支持部１５により連結した状態で前記鉄板１４上に固定される。この後に前記メイン回路基板４０から引き出された２本のフラットケーブル６０と、前記ＤＶＤ記録再生装置１３から引き出された１本のフラットケーブル６０はＤＶＤ記録再生装置１３の上部に配置されたＭＰＥＧ基板５０の左端部でコネクター７０により接続することが出来る。これにより、前記メイン回路基板４０とＤＶＤ記録再生装置１３から引き出された３本のフラットケーブル６０は近傍に接続作業の障害となる背の高い電子部品４５もなく簡単にコネクター７０を挿入して接続することが出来る。また、３本の前記フラットケーブル６０はメイン回路基板４０及びＭＰＥＧ基板５０の端部から横向きに外側に向けて引き出すことが出来るので、前記メイン回路基板４０及びＭＰＥＧ基板５０に形成された各回路と、前記３本のフラットケーブル６０とが周波数干渉することを防止することが出来る。
【００２８】
以上の本実施例によれば、前記ＤＶＤ記録再生装置１３は第１回路基板の基板であるメイン回路基板４０の上部に配置し、且つ前記第１回路基板の基板であるメイン回路基板４０の左側に片寄せて配置したことにより、前記メイン回路基板４０は、前記ＤＶＤ記録再生装置１３の右側に前記ＤＶＤ記録再生装置１３とは重ならない領域を広く確保することが出来るので、該メイン回路基板４０の他方に確保した前記ＤＶＤ記録再生装置１３と重ならない領域には効率よく大きくて背の高い電子部品４５を配置することが出来るので、前記メイン回路基板４０は大型テレビと共用化することが出きる。
【００２９】
また、第２回路基板であるＭＰＥＧ基板５０は前記ＤＶＤ記録再生装置１３の上部に配置したことにより、前記メイン回路基板４０はその上部に配置される前記ＤＶＤ記録再生装置１３との隙間高さを高く確保することが出来るので、前記ＤＶＤ記録再生装置１３の放熱性を確保することが出来る。また、前記隙間高さを高く確保することが出来ることにより、前記ＭＰＥＧ基板５０と前記メイン回路基板４０に形成された各回路４１、４２、４３、４４、との周波数干渉は低く抑えることが出来る。
【００３０】
前記ＭＰＥＧ基板５０と前記ＤＶＤ記録再生装置１３とを接続するフラットケーブル６０、及び前記ＭＰＥＧ基板５０と前記メイン回路基板４０とを接続するフラットケーブル６０は、前記ＤＶＤ記録再生装置１３の片寄せた側に配置したことにより、前記第１回路基板の基板であるメイン回路基板４０の左側に片寄せて配置した前記ＤＶＤ記録再生装置１３の右側には前記メイン回路基板４０上で前記ＤＶＤ記録再生装置１３と重ならない領域を広く確保することが出来ると共に、片寄せた左側の前記メイン回路基板４０の端部寄りから前記フラットケーブル６０の引き出しを行なうことが出来るので、前記フラットケーブル６０の近傍には背の高い電子部品４５が配置されることにより接続作業の障害となることも無く、接続作業を容易に行うことが出来る。また、前記ＤＶＤ記録再生装置１３と重なる前記メイン回路基板４０の領域には背の低い電子部品４６を配置し、前記光ディスク記録再生装置１３の右側寄りに確保した広い領域には大きくて背の高い電子部品４５を配置することが出来るので前記フラットケーブル６０が引き出されるコネクター７０の周囲は前記背の低い電子部品４５も近接して配置する必要が無くなることから、前記フラットケーブル６０は該電子部品４５との近接距離を長く確保することが出来る。これにより、前記メイン回路基板４０上に構成されたテレビ電源回路４１や映像音声処理を行なうテレビ回路４２とテレビ偏向系回路４３などとＤＶＤ記録再生装置１３に係るデジタル映像音声信号の符号化や復号化を行なうＭＰＥＧ基板５０との周波数干渉を低減することが出来る。
【００３１】
前記メイン回路基板４０上で前記ＤＶＤ記録再生装置１３と重なりを生ずる領域には背の低い電子部品４６を配置したことにより、前記片寄せた他方には背の高い電子部品４５を優先的に配置しながら、前記ＤＶＤ記録再生装置１３と重なりを生ずる領域には背の低い電子部品４６を配置することが出来るので、前記メイン回路基板４０の重なり領域を有効に活用してこれらの電子部品４５、４６を配置することが出来る。
【００３２】
以上、本実施例を詳述したが、本発明は、前記実施例に限定されるものではなく、本発明の要旨の範囲内で種々の変形実施が可能である。例えば、ＤＶＤ記録再生装置を内蔵した一体型テレビのみである必要は無くＤＶＤ再生装置を内蔵した一体型テレビでもよく、また、ＤＶＤ記録再生装置を片寄せる方向は左である必要はなく右側に片寄せるなど左右いずれかに可能な状態であればよく、また、メイン回路基板における回路構成はＤＶＤ記録再生装置一体テレビにおける設計のし易さや組立易さを配慮して配置を変更するなど前記実施例に限定されるものではなく、適宜選定すればよい。
【図面の簡単な説明】
【００３３】
【図１】本発明の一実施例を示す筐体内に配置されたメイン回路基板とＤＶＤ録画再生装置などの配置と回路構成を示す平面説明図である。
【図２】本発明におけるＤＶＤ記録再生装置を内蔵したＣＲＴ型テレビを示す前面斜視説明図である。
【図３】本発明におけるメイン回路基板とＤＶＤ記録再生装置などの配置を示す前側面説明図である。
【図４】本発明におけるメイン回路基板とＤＶＤ記録再生装置などの配置を示す左前面斜視説明図である。
【図５】従来のメイン回路基板上に載置されたＭＰＥＧ基板とＤＶＤ再生装置の配置を示す平面図である。
【図６】従来のメイン回路基板上に載置されたＭＰＥＧ基板とＤＶＤ再生装置の配置を示す前側面図である。
【符号の説明】
【００３４】
１０        ＤＶＤ記録再生装置一体型テレビ
１１        筐体
１２        テレビ受像機
１２ａ      表示画面
１２ｂ      スピーカー
１３        ＤＶＤ記録再生装置
１３ａ      ディスク挿入口
１４        鉄板
４０        メイン回路基板
４１        テレビ電源回路
４２        テレビ回路
４３        テレビ偏向系回路
４４        制御回路
４５        背の高い電子部品
４５ａ      チューナー
４５ｂ      ジャック等の端子類
４５ｃ      電源トランス
４５ｄ      フライバックトランス
４５ｅ      パワートランジスタ
４６        背の低い電子部品
４６ａ      コンデンサ
５０        ＭＰＥＧ基板
６０        フラットケーブル
７０        コネクター
【図１】
2006148811.tif 000003
【図２】
2006148811.tif 000004
【図３】
2006148811.tif 000005
【図４】
2006148811.tif 000006
【図５】
2006148811.tif 000007
【図６】
2006148811.tif 000008